(57)【要約】【課題】端末装置の取り扱いに不慣れな利用者に対してもサービスの提供を行うこと。【解決手段】記憶媒体の挿抜によって自装置の電源投入および電源切断を制御し、利用者または利用者に対応付けられたサービスを識別する識別子を記憶媒体から読み込み、読み込んだ識別子をサーバ装置へ送信し、応答としてこの識別子に対応するユーザインタフェースプログラムを受信して記憶部に記憶させ、記憶部に記憶させたユーザインタフェースプログラムを動作させることによって表示部に対してユーザインタフェース画面を表示させるように端末装置を構成する。【選択図】        図２
2008250942.tif 000002
【特許請求の範囲】
【請求項１】
記憶媒体を挿入可能であり、ネットワークを介してサーバ装置と接続される端末装置であって、
前記記憶媒体の挿抜によって自装置の電源投入および電源切断を制御する電源制御手段と、
利用者または前記利用者に対応付けられたサービスを識別する識別子を前記記憶媒体から読み込む記憶媒体読込手段と、
前記記憶媒体読込手段が読み込んだ前記識別子を前記サーバ装置へ送信し、応答として当該識別子に対応するユーザインタフェースプログラムを受信して記憶部に記憶させる通信手段と、
前記通信手段が前記記憶部に記憶させたユーザインタフェースプログラムを動作させることによって表示部に対してユーザインタフェース画面を表示させる表示制御手段と
を備えたことを特徴とする端末装置。
【請求項２】
前記通信手段は、
前記サーバ装置からの応答として前記識別子に対応する情報であるサービスデータを受信して前記記憶部に記憶させ、
前記表示制御手段は、
前記通信手段が前記記憶部に記憶させたサービスデータを前記ユーザインタフェースプログラムに読み込ませることによって前記ユーザインタフェース画面中に当該サービスデータを表示させることを特徴とする請求項１に記載の端末装置。
【請求項３】
前記電源制御手段は、
前記記憶媒体読込手段および前記通信手段の動作を制御する中央処理装置へ供給する電源を開閉する第１の電源開閉手段と、
前記記憶媒体読込手段および前記通信手段へ供給する電源を開閉する第２の電源開閉手段と
をさらに備え、
前記第１の電源開閉手段は、
前記記憶媒体が挿入された場合に、前記中央処理装置および前記第２の電源開閉手段へ電力を供給するとともに、前記中央処理装置から電力停止を禁止する禁止信号を受け取り、
前記記憶媒体が抜き取られた場合には、前記禁止信号の途絶を契機として前記中央処理装置および前記第２の電源開閉手段に対する電力の供給を停止することを特徴とする請求項１または２に記載の端末装置。
【請求項４】
前記通信制御手段は、
前記記憶媒体の抜き取り以後であって、前記中央処理装置が前記禁止信号を途絶させる以前に、利用者の離脱を前記サーバ装置に対して送信し、応答としてサービス終了データを受信して前記記憶部に記憶させ、
前記表示制御手段は、
前記通信制御手段が前記記憶部に記憶させたサービス終了データを前記ユーザインタフェースプログラムに読み込ませることによって前記ユーザインタフェース画面中に当該終了データを表示させることを特徴とする請求項３に記載の端末装置。
【請求項５】
記憶媒体と、前記記憶媒体を挿入可能な端末装置と、前記端末装置にネットワークを介して接続されるサーバ装置とで利用者に対する情報配信を行う情報配信システムであって、
前記記憶媒体は、
前記利用者または前記利用者に対応付けられたサービスを識別する識別子を記憶する識別子記憶手段
を備え、
前記端末装置は、
前記記憶媒体の挿抜によって自装置の電源投入および電源切断を制御する電源制御手段と、
前記記憶媒体から前記識別子を読み込む記憶媒体読込手段と、
前記記憶媒体読込手段が読み込んだ前記識別子を前記サーバ装置へ送信し、応答として当該識別子に対応するユーザインタフェースプログラムを受信する通信手段と、
前記通信手段が受信した前記ユーザインタフェースプログラムを動作させることによって表示部に対してユーザインタフェース画面を表示する表示制御手段と
を備え、
前記サーバ装置は、
前記ユーザインタフェースプログラムと前記識別子とを関連付けたユーザインタフェースプログラムデータベースと、
前記端末装置から受信した前記識別子に基づいて当該識別子に対応する前記ユーザインタフェースプログラムを検索する検索手段と、
前記検索手段が検索した前記ユーザインタフェースプログラムを前記端末装置に対して応答する応答手段と
を備えたことを特徴とする情報配信システム。
【発明の詳細な説明】
【技術分野】
【０００１】
この発明は、記憶媒体を挿入可能であり、ネットワークを介してサーバ装置と接続される端末装置およびこの端末装置を用いた情報配信システムに関し、特に、端末装置の取り扱いに不慣れな利用者に対してもサービスの提供を行うことができる端末装置およびこの端末装置を用いた情報配信システムに関するものである。
【背景技術】
【０００２】
パーソナルコンピュータ、ＰＤＡ（Personal  Digital  Assistant）、携帯電話等を端末装置として利用者へ情報を配信するサービスを行う情報配信システムが知られている。この情報配信システムを用いた場合、利用者は、電源のＯＮ／ＯＦＦをはじめとする端末操作の習熟に一定の習熟期間を要することが一般的である。
【０００３】
特に、病院や娯楽施設を利用する利用者に対して情報配信サービスを行う場合には、利用者が施設内に滞在している間だけ端末装置を利用することになるため、端末装置の操作をできるだけ簡易化する必要がある。
【０００４】
しかし、端末装置の操作性を簡易化することは、すなわち、各施設における情報配信サービスの仕様に沿ったユーザインタフェースの端末装置を用意することを意味する。したがって、情報配信システムを各施設に提供するサービスシステム提供者にとってみれば、各施設用にカスタマイズされたユーザインタフェースをもつ端末装置を施設分だけ用意する必要がある。
【０００５】
このため、端末装置のユーザインタフェースを利用者ごとにカスタマイズする手法が種々提案されている。たとえば、特許文献１には、サーバ装置のＵＲＬ（Uniform  Resource  Locator）を記憶した記憶媒体をコピー機へ挿入すると、このコピー機がサーバ装置から操作環境を設定する情報を取得する技術が開示されている。また、特許文献２には、端末装置が利用者に対してアンケート形式の選択画面を提供し、アンケートに答えることで利用者好みのユーザインタフェース画面を自動生成する技術が開示されている。
【０００６】
【特許文献１】特開２００４−１８６９６１号公報
【特許文献２】特開２００６−４０５４号公報
【発明の開示】
【発明が解決しようとする課題】
【０００７】
しかしながら、特許文献１の技術は、コピー機（端末装置）の設定操作を簡易化する技術ではあるものの、利用者に応じてユーザインタフェースを変更する技術ではない。また、特許文献２の技術は、利用者に応じてユーザインタフェースを変更する技術ではあるものの、利用者に対してアンケートへの回答という作業を強いるものであり、端末操作に慣れていない利用者にとってみればアンケートへの回答すら困難であると考えられる。
【０００８】
これらのことから、端末装置の取り扱いに不慣れな利用者に対してもサービスの提供を行うことができる端末装置あるいは情報提供システムをいかにして実現するかが大きな課題となっている。
【０００９】
この発明は、上述した従来技術による問題点を解消するためになされたものであり、端末装置の取り扱いに不慣れな利用者に対してもサービスの提供を行うことができる端末装置およびこの端末装置を用いた情報配信システムを提供することを目的とする。
【課題を解決するための手段】
【００１０】
上述した課題を解決し、目的を達成するため本発明は、記憶媒体を挿入可能であり、ネットワークを介してサーバ装置と接続される端末装置であって、前記記憶媒体の挿抜によって自装置の電源投入および電源切断を制御する電源制御手段と、利用者または前記利用者に対応付けられたサービスを識別する識別子を前記記憶媒体から読み込む記憶媒体読込手段と、前記記憶媒体読込手段が読み込んだ前記識別子を前記サーバ装置へ送信し、応答として当該識別子に対応するユーザインタフェースプログラムを受信して記憶部に記憶させる通信手段と、前記通信手段が前記記憶部に記憶させたユーザインタフェースプログラムを動作させることによって表示部に対してユーザインタフェース画面を表示させる表示制御手段とを備えたことを特徴とする。
【００１１】
また、本発明は、上記の発明において、前記通信手段は、前記サーバ装置からの応答として前記識別子に対応する情報であるサービスデータを受信して前記記憶部に記憶させ、前記表示制御手段は、前記通信手段が前記記憶部に記憶させたサービスデータを前記ユーザインタフェースプログラムに読み込ませることによって前記ユーザインタフェース画面中に当該サービスデータを表示させることを特徴とする。
【００１２】
また、本発明は、上記の発明において、前記電源制御手段は、前記記憶媒体読込手段および前記通信手段の動作を制御する中央処理装置へ供給する電源を開閉する第１の電源開閉手段と、前記記憶媒体読込手段および前記通信手段へ供給する電源を開閉する第２の電源開閉手段とをさらに備え、前記第１の電源開閉手段は、前記記憶媒体が挿入された場合に、前記中央処理装置および前記第２の電源開閉手段へ電力を供給するとともに、前記中央処理装置から電力停止を禁止する禁止信号を受け取り、前記記憶媒体が抜き取られた場合には、前記禁止信号の途絶を契機として前記中央処理装置および前記第２の電源開閉手段に対する電力の供給を停止することを特徴とする。
【００１３】
また、本発明は、上記の発明において、前記通信制御手段は、前記記憶媒体の抜き取り以後であって、前記中央処理装置が前記禁止信号を途絶させる以前に、利用者の離脱を前記サーバ装置に対して送信し、応答としてサービス終了データを受信して前記記憶部に記憶させ、前記表示制御手段は、前記通信制御手段が前記記憶部に記憶させたサービス終了データを前記ユーザインタフェースプログラムに読み込ませることによって前記ユーザインタフェース画面中に当該終了データを表示させることを特徴とする。
【００１４】
また、本発明は、記憶媒体と、前記記憶媒体を挿入可能な端末装置と、前記端末装置にネットワークを介して接続されるサーバ装置とで利用者に対する情報配信を行う情報配信システムであって、前記記憶媒体は、前記利用者または前記利用者に対応付けられたサービスを識別する識別子を記憶する識別子記憶手段を備え、前記端末装置は、前記記憶媒体の挿抜によって自装置の電源投入および電源切断を制御する電源制御手段と、前記記憶媒体から前記識別子を読み込む記憶媒体読込手段と、前記記憶媒体読込手段が読み込んだ前記識別子を前記サーバ装置へ送信し、応答として当該識別子に対応するユーザインタフェースプログラムを受信する通信手段と、前記通信手段が受信した前記ユーザインタフェースプログラムを動作させることによって表示部に対してユーザインタフェース画面を表示する表示制御手段とを備え、前記サーバ装置は、前記ユーザインタフェースプログラムと前記識別子とを関連付けたユーザインタフェースプログラムデータベースと、前記端末装置から受信した前記識別子に基づいて当該識別子に対応する前記ユーザインタフェースプログラムを検索する検索手段と、前記検索手段が検索した前記ユーザインタフェースプログラムを前記端末装置に対して応答する応答手段とを備えたことを特徴とする。
【発明の効果】
【００１５】
本発明によれば、記憶媒体の挿抜によって自装置の電源投入および電源切断を制御し、利用者または利用者に対応付けられたサービスを識別する識別子を記憶媒体から読み込み、読み込んだ識別子をサーバ装置へ送信し、応答としてこの識別子に対応するユーザインタフェースプログラムを受信して記憶部に記憶させ、記憶部に記憶させたユーザインタフェースプログラムを動作させることによって表示部に対してユーザインタフェース画面を表示させることとしたので、利用者が端末装置に対して記憶媒体を挿入しただけで、端末装置の電源が投入されるとともに、利用者用のサービスデータやユーザインタフェースプログラムを自動的にダウンロードするため、端末装置の取り扱いに不慣れな利用者に対してもサービス提供を行うことができるという効果を奏する。また、提供サービスの変更にも容易に対応することができるという効果を奏する。
【００１６】
また、本発明によれば、サーバ装置からの応答として識別子に対応する情報であるサービスデータを受信して記憶部に記憶させ、記憶部に記憶させたサービスデータをユーザインタフェースプログラムに読み込ませることによってユーザインタフェース画面中にこのサービスデータを表示させることとしたので、利用者用にカスタマイズされた情報を表示させることができるという効果を奏する。
【００１７】
また、本発明によれば、記憶媒体読込手段および通信手段の動作を制御する中央処理装置へ供給する電源を開閉する第１の電源開閉手段と、記憶媒体読込手段および前記通信手段へ供給する電源を開閉する第２の電源開閉手段とをさらに備え、第１の電源開閉手段は、記憶媒体が挿入された場合に、中央処理装置および第２の電源開閉手段へ電力を供給するとともに、中央処理装置から電力停止を禁止する禁止信号を受け取り、記憶媒体が抜き取られた場合には、禁止信号の途絶を契機として中央処理装置および第２の電源開閉手段に対する電力の供給を停止することとしのたで、たとえば、サービス終了時のデータを表示したり、端末装置内のプログラムやデータを消去したりといった、後処理を円滑に行うことができるという効果を奏する。
【００１８】
また、本発明によれば、記憶媒体の抜き取り以後であって、中央処理装置が禁止信号を途絶させる以前に、利用者の離脱を前記サーバ装置に対して送信し、応答としてサービス終了データを受信して記憶部に記憶させ、記憶部に記憶させたサービス終了データをユーザインタフェースプログラムに読み込ませることによってユーザインタフェース画面中に終了データを表示させることとしたので、記憶媒体を抜き取った利用者に対してサービス提供を終了する旨を確実に通知することができるという効果を奏する。
【発明を実施するための最良の形態】
【００１９】
以下に添付図面を参照して、この発明に係る端末装置およびこの端末装置を用いた情報配信システムの好適な実施例を詳細に説明する。なお、以下では、ＩＣカード等の記憶媒体を挿入することで起動するネームプレート型の形状を有する端末装置およびこの端末装置を用いた情報配信システムについて説明する。
【実施例】
【００２０】
まず、本実施例に係る端末装置の特徴点について図１を用いて説明する。図１は、本実施例に係る端末装置の特徴を示す図である。なお、同図に示す記憶媒体には、利用者を識別する利用者ＩＤがあらかじめ記憶されているものとする。また、同図の（Ａ）は、端末装置に電源を投入する場合について、同図の（Ｂ）は、端末装置の電源を切断する場合をそれぞれ示している。
【００２１】
ここで、この端末装置が使用される施設が病院であると仮定すると、記憶媒体は診察券に相当し、利用者が病院の窓口に診察券を提示すると、窓口では、この利用者に対して端末装置を貸し出すという利用形態をとることになる。また、利用者が診療を終えた場合には、端末装置から記憶媒体（診察券）を抜き取ったうえで端末装置を窓口へ返却する。
【００２２】
同図の（Ａ）に示したように、端末装置を貸与された利用者が、記憶媒体（診察券）を端末装置に挿入すると（図１の（１）参照）、この挿入動作によって端末装置の電源が投入される（図１の（２）参照）。つづいて、端末装置は、記憶媒体から利用者ＩＤを読み込み（図１の（３）参照）、図示しないサーバ装置から利用者ＩＤに対応するユーザインタフェースプログラム（以下、「ＵＩプログラム」と記載する）およびサービスデータを取得する（図１の（４）参照）。
【００２３】
そして、端末装置はＵＩプログラムを動作させることによって、利用者に対応するメッセージや操作ボタンを含むユーザインタフェース画面（以下、「ＵＩ画面」と記載する）を表示部に対して表示する（図１の（５）参照）。
【００２４】
一方、同図の（Ｂ）に示したように、端末装置の利用を終えた利用者が、端末装置から記憶媒体を抜き取ると（図１の（６）参照）、端末装置の電源が切断される（図１の（７）参照）。
【００２５】
このように、本実施例に係る端末装置では、記憶媒体の挿抜という簡単な操作で端末装置を起動／終了を行うとともに、記憶媒体に記憶された利用者ＩＤを用いて利用者ごとにカスタマイズされたＵＩプログラムをサーバ装置からダウンロードするように構成した。したがって、端末装置の取り扱いに不慣れな利用者であっても端末装置の操作にとまどうことなく、自分用にカスタマイズされたＵＩ画面を用いて情報配信サービスを受けることができる。
【００２６】
次に、図１で説明した記憶媒体および端末装置を用いた情報配信システムの構成について図２を用いて説明する。図２は、本実施例に係る情報配信システムの構成図である。同図に示すように、情報配信システム１は、記憶媒体１０と、端末装置２０と、サーバ装置３０とから構成される。なお、端末装置２０とサーバ装置３０とは、無線通信によって通信を行うものとする。
【００２７】
記憶媒体１０は、ＩＣカード等の記憶媒体であり、利用者を一意に識別する利用者ＩＤや、利用者が受けるサービスを一意に識別するサービスＩＤといった識別子を記憶している。たとえば、この記憶媒体１０は、情報配信システム１を用いる施設が、各利用者に対して発行する。
【００２８】
なお、本実施例では、無線通信が可能なＩＣカードである記憶媒体１０と、この記憶媒体１０から非接触型のデータ読み取りを行う端末装置２０とを用いる場合について説明するが、接点を有するＩＣカードを用い、端末装置２０が、かかる接点を介してデータ読み取りを行うこととしてもよい。また、記憶媒体１０をＲＦＩＤ（Radio  Frequency  Identification）タグとし、端末装置２０が、ＲＦＩＤタグのリーダ／ライタ（RF-RW）を備えるように構成することとしてもよい。
【００２９】
端末装置２０は、記憶媒体１０を挿入するスリットを備え、たとえば、ネームプレート型の形状を有する装置であり、ネットワークを介して接続されるサーバ装置３０からサービスデータ２５ａやＵＩプログラム２５ｂをダウンロードし、表示部２４ｄへＵＩ画面を表示する。
【００３０】
この端末装置２０は、電源２１と、電源制御部２２と、スイッチ２３と、制御部２４と、記憶部２５とを備えている。また、制御部２４は、マイコン２４ａと、記憶媒体読込部２４ｂと、表示制御部２４ｃと、表示部２４ｄと、通信部２４ｅをさらに備えており、記憶部２５は、サービスデータ２５ａと、ＵＩプログラム２５ｂと、オペレーションプログラム２５ｃと、デバイスドライバ２５ｄとを記憶する。
【００３１】
電源２１は、たとえば、リチウムイオン電池などで構成され、電源制御部２２を介して端末装置２０を構成するデバイスに対して電力を供給する。また、電源制御部２２は、制御部２４に対する電力供給／電力切断を制御する処理部であり、記憶媒体１０の挿抜によってスイッチ２３がＯＮ／ＯＦＦされると、かかるＯＮ／ＯＦＦ信号をスイッチ２３から受け取る。
【００３２】
スイッチ２３は、たとえば、いわゆるメカニカルスイッチで構成され、記憶媒体１０の挿入によって可動部が押し込まれると電源制御部２２およびマイコン２４ａに対してＯＮ信号を通知するとともに、記憶媒体１０の抜き取りによって可動部が復帰すると電源制御部２２およびマイコン２４ａに対してＯＦＦ信号を通知する。
【００３３】
制御部２４は、電源制御部２２による電源制御の対象となるデバイス群である。また、マイコン２４ａは記憶部２５上のプログラムを読み込んで実行したり、端末装置２０を構成する各種デバイスの制御を行ったりするマイクロコンピュータである。
【００３４】
記憶媒体読込部２４ｂは、端末装置２０に挿入された記憶媒体１０から識別子を読み込み、読み込んだ識別子をマイコン２４ａに渡す処理を行うデバイスである。なお、記憶媒体読込部２４ｂは、非接触型の読み取りによって記憶媒体１０から識別子を読み込むが、接触型の読み取りを行うように構成してもよい。また、記憶媒体１０をＲＦＩＤタグとした場合には、この記憶媒体読込部２４ｂはＲＦ−ＲＷから構成することとしてもよい。
【００３５】
表示制御部２４ｃは、マイコン２４ａが実行するＵＩプログラム２５ｂの指示によって表示部２４ｄに対してユーザインタフェース画面を表示させる処理および表示部２４ｄが受け付けた利用者の操作を、操作情報としてＵＩプログラム２５ｂに通知する処理を行うデバイスである。
【００３６】
表示部２４ｄは、たとえば、タッチパネル付きの液晶ディスプレイから構成され、表示制御部２４ｃからの指示に基づき、メッセージや操作ボタンを含むＵＩ画面を表示するとともに、利用者によって操作ボタンが操作された場合には、かかる操作情報を表示制御部２４ｃに対して通知する処理を行うデバイスである。
【００３７】
通信部２４ｅは、マイコン２４ａ上で動作するＵＩプログラム２５ｂあるいはオペレーションプログラム２５ｃの指示に基づき、サーバ装置３０との間で無線通信を行うデバイスである。
【００３８】
記憶部２５は、不揮発性メモリによって構成され、サーバ装置３０から受け取ったサービスデータ２５ａおよびＵＩプログラム２５ｂ、あらかじめ記憶されたオペレーションプログラム２５ｃおよびデバイスドライバ２５ｄを記憶する。
【００３９】
サービスデータ２５ａは、ＵＩプログラム２５ｂを介して表示部２４ｄに表示されるデータであり、サーバ装置３０のサービスデータＤＢ（データベース）３４からダウンロードされる。また、ＵＩプログラム２５ｂは、表示部２４ｄにＵＩ画面を表示させる処理を行うプログラムであり、マイコン２４ａに読み込まれたオペレーションプログラム２５ｃ上で動作する。そして、このＵＩプログラム２５ｂは、サーバ装置３０のＵＩプログラムＤＢ（データベース）３３からダウンロードされる。
【００４０】
オペレーションプログラム２５ｃは、マイコン２４ａに読み込まれて端末装置２０を構成する各種デバイスを制御する処理を行うプログラムであり、デバイスドライバ２５ｄは、端末装置２０を構成する各種デバイスとオペレーションプログラム２５ｃとの間で行われるデータ変換を行うプログラムである。なお、オペレーションプログラム２５ｃおよびデバイスドライバ２５ｄは、端末装置２０の製造時やメンテナンス時に記憶部２５に記憶される。
【００４１】
なお、本実施例では、記憶部２５を不揮発性メモリによって構成する場合について示したが、端末装置２０の電源がＯＮである間だけ必要となるサービスデータ２５ａおよびＵＩプログラム２５ｂを揮発性メモリに格納し、オペレーションプログラム２５ｃおよびデバイスドライバ２５ｄを不揮発性メモリに格納するように構成してもよい。
【００４２】
サーバ装置３０は、端末装置２０から受け取った識別子に対応するサービスデータあるいはＵＩプログラムを、それぞれ、サービスデータＤＢ３４あるいはＵＩプログラムＤＢ３３を検索することによって抽出し、抽出したサービスデータあるいはＵＩプログラムを端末装置２０に対して応答する装置である。なお、このサーバ装置３０は、無線ネットワークを介して端末装置２０に接続される。
【００４３】
サーバ装置３０は、検索部３１と、通信部３２とから構成されており、サービスデータＤＢ３４およびＵＩプログラムＤＢ３３と接続されている。なお、サービスデータＤＢ３４およびＵＩプログラムＤＢ３３をサーバ装置３０に内蔵するように構成してもよい。
【００４４】
検索部３１は、通信部３２を介して端末装置２０から受け取った識別子に基づき、この識別子に対応するサービスデータあるいはＵＩプログラムを、サービスデータＤＢ３４あるいはＵＩプログラムＤＢ３３から検索する処理を行う処理部である。
【００４５】
通信部３２は、端末装置２０から識別子、終了通知などのメッセージ等を受信するとともに、検索部３１が検索したサービスデータあるいはＵＩプログラムを端末装置２０に対して送信する処理を行うデバイスである。
【００４６】
次に、図２で説明した端末装置２０およびサーバ装置３０が実行する処理手順について図３を用いて説明する。図３は、端末装置およびサーバ装置が実行する処理手順を示すフローチャートである。同図に示すように、端末装置２０に対して利用者が記憶媒体１０を挿入すると（ステップＳ１０１）、この記憶媒体１０がスイッチ２３を押下することによって端末装置２０の電源を投入する（ステップＳ１０２）。
【００４７】
つづいて、記憶媒体読込部２４ｂが記憶媒体１０からＩＤ（識別子）を読み込み（ステップＳ１０３）、通信部２４ｅがこのＩＤ（識別子）をサーバ装置３０へ送信する（ステップＳ１０４）。このＩＤ（識別子）を受信したサーバ装置３０は、受信したＩＤ（識別子）に対応するＵＩプログラム２５ｂをＵＩプログラムＤＢ３３から検索する（ステップＳ１０５）。なお、端末装置２０から、サービスデータ２５ａのダウンロードを依頼された場合には、受信したＩＤ（識別子）に対応するサービスデータ２５ａをサービスデータＤＢ３４から検索する。
【００４８】
そして、サーバ装置３０は、ステップＳ１０５において選択されたＵＩプログラム２５ｂを端末装置２０へ送信し（ステップＳ１０６）、このＵＩプログラム２５ｂを受信した端末装置２０は、ＵＩプログラム２５ｂを記憶部２５に記憶させるとともに、ＵＩプログラム２５ｂを起動する（ステップＳ１０７）。
【００４９】
つづいて、ＵＩプログラム２５ｂの起動を完了したならば、端末装置２０は、ＵＩプログラム２５ｂの起動完了をサーバ装置３０に対して通知し（ステップＳ１０８）、この通知を受けたサーバ装置３０は、該当するサービスデータ２５ａをサービスデータＤＢ３４から検索して最初のサービスデータ２５ａを端末装置２０に対して送信する（ステップＳ１０９）。
【００５０】
この状態で、端末装置２０には、図１の（Ａ）に示したようなＵＩ画面が表示されるが、利用者がこのＵＩ画面を介して端末装置を操作すると（ステップＳ１１０）、端末装置２０は、操作に応じたサービスデータ２５ａをサーバ装置３０に対して要求する（ステップＳ１１１）。この要求を受けたサーバ装置３０は、該当するサービスデータ２５ａをサービスデータＤＢ３４から検索して端末装置２０に対して送信する（ステップＳ１１２）。
【００５１】
そして、利用者がＵＩ画面を介して終了操作を行った場合には（ステップＳ１１３,Ｙｅｓ）、処理を終了する。一方、利用者が終了操作を行わない場合には（ステップＳ１１３，Ｎｏ）、ステップＳ１１０〜Ｓ１１２の処理を繰り返すことになる。
【００５２】
次に、電源投入時および電源切断時における端末装置２０の動作について図４および図５を用いて説明する。図４は、電源投入時における端末装置２０の動作を示す図であり、図５は、電源切断時における端末装置２０の動作を示す図である。なお、図４および図５では、図２と同一の構成要素には同一の符合を付与している。また、電源開閉部Ａ２２ａ、電源開閉部Ｂ２２ｂおよび電源開閉部Ｃ２２ｃは、図２に示した電源制御部２２に含まれるデバイスであり、リレーやトランジスタ等によって構成される。
【００５３】
まず、電源投入時における動作について説明する。図４に示すように、記憶媒体１０が挿入されると（図４の（１）参照）、スイッチ２３は、電源ＯＮ指令を電源開閉部Ａ２２ａおよびマイコン２４ａに対して通知する（図４の（２）参照）。この電源ＯＮ指令を受けた電源開閉部Ａ２２ａは、マイコン２４ａ、電源開閉部Ｂ２２ｂおよび電源開閉部Ｃ２２ｃに対して電源２１からの電力を供給する（図４の（３）参照）。
【００５４】
一方、電源ＯＮ指令を受けたマイコン２４ａは、電源ＯＮ指令を電源開閉部Ａ２２ａに対して通知する（図４の（４）参照）。ここで、電源開閉部Ａ２２ａは、スイッチからの電源ＯＮ指令あるいはマイコン２４ａからの電源ＯＮ指令のいずれか一方が維持されている間は、マイコン２４ａ、電源開閉部Ｂ２２ｂおよび電源開閉部Ｃ２２ｃに対する電力提供を維持する。
【００５５】
つづいて、マイコン２４ａが電源開閉部Ｂ２２ｂに対して電源ＯＮ指令を通知すると（図４の（５）参照）、電源開閉部Ｂ２２ｂは、記憶媒体読込部２４ｂに対して電力を供給する（図４の（６）参照）。また、マイコン２４ａが電源開閉部Ｃ２２ｃに対して電源ＯＮ指令を通知すると（図４の（７）参照）、電源開閉部Ｃ２２ｃは、通信部２４ｅに対して電力を供給する（図４の（８）参照）。
【００５６】
次に、電源切断時における動作について説明する。図５に示すように、記憶媒体が抜き取られると（図５の（１）参照）、スイッチ２３は、電源ＯＦＦ指令を電源開閉部Ａ２２ａおよびマイコン２４ａに対して通知する（図５の（２）参照）。
【００５７】
この段階で、電源開閉部Ａ２２ａは、マイコン２４ａ、電源開閉部Ｂ２２ｂおよび電源開閉部Ｃ２２ｃに対する電力供給を維持している。すなわち、利用者が端末装置２０の利用を終了する意図で記憶媒体１０を抜き取った場合であっても、いわゆる後処理を実行するために、マイコン２４ａ等に対する電力供給を維持するのである。
【００５８】
マイコン２４ａは、ＵＩプログラム２５ｂを動作させることによって、サーバ装置３０から終了メッセージを取得して記憶部２５に記憶させたうえで、この終了メッセージを表示部２４ｄに表示する。そして、終了メッセージの表示処理を行った後に、記憶部２５からサービスデータ２５ａ、ＵＩプログラム２５ｂおよび終了メッセージを消去する。
【００５９】
つづいて、後処理を実行したマイコン２４ａは、電源開閉部Ａ２２ａに対して電源ＯＮ指令解除を通知し（図５の（３）参照）、この通知を受けた電源開閉部Ａ２２ａは、マイコン２４ａ、電源開閉部Ｂ２２ｂおよび電源開閉部Ｃ２２ｃに対する電力提供を遮断する（図５の（４）参照）。
【００６０】
次に、端末装置２０の実装例について図６を用いて説明する。図６は、端末装置の実装例を示す図である。なお、図６では、図２と同一の構成要素には同一の符合を付与している。同図に示すように、端末装置２０は、表ケースと、表示部２４ｄと、通信部２４ｅのアンテナ、電源制御部２２、制御部２４および記憶部２５からなる層と、電源２１と、記憶媒体読込部２４ｂのアンテナを含む裏ケースと、記憶媒体ガイドを積層することによって構成される。なお、記憶媒体１０は、裏ケースと、記憶媒体ガイドとの間に挿入される。
【００６１】
次に、記憶媒体１０に記憶させる識別子を利用者ＩＤとした場合、サービスＩＤとした場合、利用者ＩＤおよびサービスＩＤとした場合について図７〜１１を用いて説明する。なお、識別子を利用者ＩＤとした場合については、図７および図８に、サービスＩＤとした場合については、図９および図１０に、利用者ＩＤおよびサービスＩＤとした場合については、図１１に、それぞれ示している。
【００６２】
まず、記憶媒体１０に記憶させる識別子を利用者ＩＤとした場合について図７および図８を用いて説明する。図７は、利用者ＩＤを用いたサービス例を示す図であり、図８は、利用者ＩＤを用いたＵＩプログラムＤＢの構成例を示す図である。
【００６３】
図７に示すように、サーバ装置３０に接続されたＵＩプログラムＤＢ３３には、「利用者ＩＤ」、「年齢」、「性別」および「利用サービス」を項目とするテーブルが用意されている。ここで、同図には、「利用サービス」の一例として、病院の患者を年齢分けし、各年齢区分について異なるサービスを提供する場合について示している。
【００６４】
また、同図には、「利用するサービス」として、高齢患者向けの「サービスＡ」、一般患者向けの「サービスＢ」および小児向けの「サービスＣ」を示しているが、各サービス（サービスＡ〜Ｃ）のそれぞれには、同図の端末画面表示例に示したＵＩ画面を端末装置２０の表示部２４ｄに表示するＵＩプログラムが対応付けられるものとする。また、同図のテーブルにおける「利用者ＩＤ」には、記憶媒体１０に記憶される利用者ＩＤと同一のものが、あらかじめ登録されているものとする。
【００６５】
次に、図７に示したサービスを提供する場合におけるＵＩプログラムＤＢ３３の構成例について図８を用いて説明する。同図に示すように、サーバ装置３０は、同図の３３ａ（以下、「テーブルＡ３３ａ」と記載する）および３３ｂ（以下、「テーブルＢ３３ｂ」と記載する）に示したテーブルを参照するが、これらのテーブル（３３ａおよび３３ｂ）は、ＵＩプログラムＤＢ３３内に設けられる。なお、テーブル（３３ａおよび３３ｂ）の双方あるいは一方を、ＵＩプログラムＤＢ３３外に設けることとしてもよい。
【００６６】
ここで、テーブルＡ３３ａは、図７に示したテーブルと同一のテーブルである。また、テーブルＢ３３ｂは、患者の年齢区分および性別を行および列とするテーブルであり、図７に示したサービスＡ、サービスＢおよびサービスＣごとに用意される。たとえば、テーブルＡ３３ａにおける利用者ＩＤが「００１」の利用者は、利用サービスが「Ａ」であるのでサービスＡ向けのテーブルＢ３３ｂが参照される。
【００６７】
さらに、この利用者の年齢は「７０」歳であり、性別は「女性」であるので、サービスＡ向けのテーブルＢ３３ｂの第１行目／第２列目である「Ａ＿Ｈ＿Ｗ」が選択される。なお、この「Ａ＿Ｈ＿Ｗ」には、ＵＩプログラムが対応付けられている。
【００６８】
つまり、同図に示すように、ＵＩプログラムＤＢ３３は、利用者ＩＤをＵＩプログラムへ変換するテーブルを備えており、このテーブルを用いて利用者ＩＤとＵＩプログラムとを対応付けている。
【００６９】
ここで、サーバ装置３０におけるＵＩプログラムの応答動作について説明する。端末装置２０から利用者ＩＤを受信すると（図８の（１）参照）、サーバ装置３０は、テーブルＡ３３ａを参照するとともに（図８の（２）参照）、テーブルＢ３３ｂを参照することによって（図８の（３）参照）、端末装置２０から受け取った利用者ＩＤに対応するＵＩプログラムを決定する。そして、サーバ装置３０は、決定したＵＩプログラムを端末装置２０に対して応答する（図８の（４）参照）。
【００７０】
次に、記憶媒体１０に記憶させる識別子をサービスＩＤとした場合について図９および図１０を用いて説明する。図９は、サービスＩＤを用いたサービス例を示す図であり、図１０は、サービスＩＤを用いたＵＩプログラムＤＢの構成例を示す図である。
【００７１】
図９に示すように、サーバ装置３０に接続されたＵＩプログラムＤＢ３３には、「サービスＩＤ」を項目とするテーブルが用意されている。なお、端末画面表示例、サービスＡ〜Ｃの内容については、図７と同様であるので説明を省略する。また、同図のテーブルにおける「サービスＩＤ」には、記憶媒体１０に記憶されるサービスＩＤと同一のものが、あらかじめ登録されているものとする。
【００７２】
次に、図９に示したサービスを提供する場合におけるＵＩプログラムＤＢ３３の構成例について図１０を用いて説明する。同図に示すように、サーバ装置３０は、同図の３３ｃ（以下、「テーブルＣ３３ｃ」と記載する）を参照するが、このテーブルＣ３３ｃは、ＵＩプログラムＤＢ３３内に設けられる。なお、テーブルＣ３３ｃを、ＵＩプログラムＤＢ３３外に設けることとしてもよい。
【００７３】
ここで、テーブルＣ３３ｃは、図９に示したテーブルに、各サービス（サービスＡ〜Ｃ）のそれぞれに対応するＵＩプログラムを付加したものである。たとえば、サービスＩＤが「Ａ」である利用者に対しては、ＵＩプログラムの「Ａ」が対応付けられている。
【００７４】
つまり、同図に示すように、ＵＩプログラムＤＢ３３は、サービスＩＤをＵＩプログラムへ変換するテーブルＣ３３ｃを備えており、このテーブルＣ３３ｃを用いてサービスＩＤとＵＩプログラムとを対応付けている。
【００７５】
ここで、サーバ装置３０におけるＵＩプログラムの応答動作について説明する。端末装置２０からサービスＩＤを受信すると（図１０の（１）参照）、サーバ装置３０は、テーブルＣ３３ｃを参照することによって（図１０の（２）参照）、端末装置２０から受け取ったサービスＩＤに対応するＵＩプログラムを決定する。そして、サーバ装置３０は、決定したＵＩプログラムを端末装置２０に対して応答する（図１０の（３）参照）。
【００７６】
次に、記憶媒体１０に記憶させる識別子を利用者ＩＤおよびサービスＩＤとした場合について図１１を用いて説明する。図１１は、利用者ＩＤおよびサービスＩＤを用いたＵＩプログラムＤＢの構成例を示す図である。
【００７７】
同図に示すように、サーバ装置３０は、同図の３３ｄ（以下、「テーブルＤ３３ｄ」と記載する）および３３ｅ（以下、「テーブルＥ３３ｅ」と記載する）に示したテーブルを参照するが、これらのテーブル（３３ｄおよび３３ｅ）は、ＵＩプログラムＤＢ３３内に設けられる。なお、テーブル（３３ｄおよび３３ｅ）の双方あるいは一方を、ＵＩプログラムＤＢ３３外に設けることとしてもよい。
【００７８】
ここで、テーブルＤ３３ｄは、図８に示したテーブルＡ３３ａにおける「利用サービス」項目を有しないが、図１１の場合におけるサービスの決定は、端末装置２０から受け取ったサービスＩＤに基づいて行われる。なお、図１１に示したテーブルＥ３３ｅの内容は、図８に示したテーブルＢ３３ｂと同一であるので説明を省略する。
【００７９】
ここで、サーバ装置３０におけるＵＩプログラムの応答動作について説明する。端末装置２０から利用者ＩＤおよびサービスＩＤを受信すると（図１１の（１）参照）、サーバ装置３０は、端末装置２０から受信した利用者ＩＤを用いてテーブルＤ３３ｄを検索し（図１１の（２）参照）、該当する利用者の年齢および性別を取得する。つづいて、サーバ装置３０は、端末装置２０から受信したサービスＩＤ、テーブルＤ３３ｄから取得した年齢および性別を用いてテーブルＥ３３ｅを参照し（図１１の（３）参照）、該当するＵＩプログラムを決定する。そして、サーバ装置３０は、決定したＵＩプログラムを端末装置２０に対して応答する（図１１の（４）参照）。
【００８０】
上述してきたように、本実施例によれば、記憶媒体の挿抜によって自装置の電源投入および電源切断を制御し、利用者または利用者に対応付けられたサービスを識別する識別子を記憶媒体から読み込み、読み込んだ識別子をサーバ装置へ送信し、応答としてこの識別子に対応するユーザインタフェースプログラムを受信して記憶部に記憶させ、記憶部に記憶させたユーザインタフェースプログラムを動作させることによって表示部に対してユーザインタフェース画面を表示させるように端末装置を構成した。
【００８１】
したがって、利用者が端末装置に対して記憶媒体を挿入しただけで、端末装置の電源が投入されるとともに、利用者用のサービスデータやユーザインタフェースプログラムを自動的にダウンロードするため、端末装置の取り扱いに不慣れな利用者に対してもサービス提供を行うことができる。また、提供サービスの変更にも容易に対応することができる。
【００８２】
なお、本実施例においては、端末装置が記憶媒体から読み取った利用者ＩＤあるいはサービスＩＤをサーバ装置に対して送信する場合について説明したが、サーバ装置に対して送信するデータに端末装置固有の情報を含めることとしてもよい。たとえば、端末装置を一意に識別する識別子や、端末装置に搭載されたオペレーションプログラムやデバイスドライバのバージョンをサーバ装置に対して送信し、サーバ装置がこれらのバージョンに適合したＵＩプログラムを応答することとしてもよい。なお、この場合、ＵＩプログラムＤＢには、これらのバージョンに適合したＵＩプログラム、これらのバージョンとＵＩプログラムとを対応付けるテーブル等が含まれることになる。
【００８３】
（付記１）記憶媒体を挿入可能であり、ネットワークを介してサーバ装置と接続される端末装置であって、
前記記憶媒体の挿抜によって自装置の電源投入および電源切断を制御する電源制御手段と、
利用者または前記利用者に対応付けられたサービスを識別する識別子を前記記憶媒体から読み込む記憶媒体読込手段と、
前記記憶媒体読込手段が読み込んだ前記識別子を前記サーバ装置へ送信し、応答として当該識別子に対応するユーザインタフェースプログラムを受信して記憶部に記憶させる通信手段と、
前記通信手段が前記記憶部に記憶させたユーザインタフェースプログラムを動作させることによって表示部に対してユーザインタフェース画面を表示させる表示制御手段と
を備えたことを特徴とする端末装置。
【００８４】
（付記２）前記通信手段は、
前記サーバ装置からの応答として前記識別子に対応する情報であるサービスデータを受信して前記記憶部に記憶させ、
前記表示制御手段は、
前記通信手段が前記記憶部に記憶させたサービスデータを前記ユーザインタフェースプログラムに読み込ませることによって前記ユーザインタフェース画面中に当該サービスデータを表示させることを特徴とする付記１に記載の端末装置。
【００８５】
（付記３）前記電源制御手段は、
前記記憶媒体読込手段および前記通信手段の動作を制御する中央処理装置へ供給する電源を開閉する第１の電源開閉手段と、
前記記憶媒体読込手段および前記通信手段へ供給する電源を開閉する第２の電源開閉手段と
をさらに備え、
前記第１の電源開閉手段は、
前記記憶媒体が挿入された場合に、前記中央処理装置および前記第２の電源開閉手段へ電力を供給するとともに、前記中央処理装置から電力停止を禁止する禁止信号を受け取り、
前記記憶媒体が抜き取られた場合には、前記禁止信号の途絶を契機として前記中央処理装置および前記第２の電源開閉手段に対する電力の供給を停止することを特徴とする付記１または２に記載の端末装置。
【００８６】
（付記４）前記通信制御手段は、
前記記憶媒体の抜き取り以後であって、前記中央処理装置が前記禁止信号を途絶させる以前に、利用者の離脱を前記サーバ装置に対して送信し、応答としてサービス終了データを受信して前記記憶部に記憶させ、
前記表示制御手段は、
前記通信制御手段が前記記憶部に記憶させたサービス終了データを前記ユーザインタフェースプログラムに読み込ませることによって前記ユーザインタフェース画面中に当該終了データを表示させることを特徴とする付記３に記載の端末装置。
【００８７】
（付記５）前記中央処理装置は、
前記終了データの表示以後に、前記記憶部に記憶された前記ユーザインタフェースプログラム、前記サービスデータおよび前記サービス終了データを消去することを特徴とする付記４に記載の端末装置。
【００８８】
（付記６）記憶媒体と、前記記憶媒体を挿入可能な端末装置と、前記端末装置にネットワークを介して接続されるサーバ装置とで利用者に対する情報配信を行う情報配信システムであって、
前記記憶媒体は、
前記利用者または前記利用者に対応付けられたサービスを識別する識別子を記憶する識別子記憶手段
を備え、
前記端末装置は、
前記記憶媒体の挿抜によって自装置の電源投入および電源切断を制御する電源制御手段と、
前記記憶媒体から前記識別子を読み込む記憶媒体読込手段と、
前記記憶媒体読込手段が読み込んだ前記識別子を前記サーバ装置へ送信し、応答として当該識別子に対応するユーザインタフェースプログラムを受信して記憶部に記憶させる通信手段と、
前記通信手段が前記記憶部に記憶させたユーザインタフェースプログラムを動作させることによって表示部に対してユーザインタフェース画面を表示する表示制御手段と
を備え、
前記サーバ装置は、
前記ユーザインタフェースプログラムと前記識別子とを関連付けたユーザインタフェースプログラムデータベースと、
前記端末装置から受信した前記識別子に基づいて当該識別子に対応する前記ユーザインタフェースプログラムを検索する検索手段と、
前記検索手段が検索した前記ユーザインタフェースプログラムを前記端末装置に対して応答する応答手段と
を備えたことを特徴とする情報配信システム。
【００８９】
（付記７）前記端末装置の通信手段は、
前記サーバ装置からの応答として前記識別子に対応する情報であるサービスデータを受信して前記記憶部に記憶させ、
前記端末装置の表示制御手段は、
前記端末装置の通信手段が前記記憶部に記憶させたサービスデータを前記ユーザインタフェースプログラムに読み込ませることによって前記ユーザインタフェース画面中に当該サービスデータを表示させることを特徴とする付記６に記載の情報配信システム。
【００９０】
（付記８）前記端末装置の電源制御手段は、
前記端末装置の記憶媒体読込手段および通信手段の動作を制御する中央処理装置へ供給する電源を開閉する第１の電源開閉手段と、
前記端末装置の記憶媒体読込手段および通信手段へ供給する電源を開閉する第２の電源開閉手段と
をさらに備え、
前記第１の電源開閉手段は、
前記記憶媒体が挿入された場合に、前記中央処理装置および前記第２の電源開閉手段へ電力を供給するとともに、前記中央処理装置から電力停止を禁止する禁止信号を受け取り、
前記記憶媒体が抜き取られた場合には、前記禁止信号の途絶を契機として前記中央処理装置および前記第２の電源開閉手段に対する電力の供給を停止することを特徴とする付記６または７に記載の情報配信システム。
【００９１】
（付記９）前記端末装置の通信制御手段は、
前記記憶媒体の抜き取り以後であって、前記中央処理装置が前記禁止信号を途絶させる以前に、利用者の離脱を前記サーバ装置に対して送信し、応答としてサービス終了データを受信して前記記憶部に記憶させ、
前記端末装置の表示制御手段は、
前記端末装置の通信制御手段が前記記憶部に記憶させたサービス終了データを前記ユーザインタフェースプログラムに読み込ませることによって前記ユーザインタフェース画面中に当該終了データを表示させることを特徴とする付記８に記載の情報配信システム。
【００９２】
（付記１０）前記端末装置の中央処理装置は、
前記終了データの表示以後に、前記記憶部に記憶された前記ユーザインタフェースプログラム、前記サービスデータおよび前記サービス終了データを消去することを特徴とする付記９に記載の情報配信システム。
【産業上の利用可能性】
【００９３】
以上のように、本発明に係る情報配信システムおよび端末装置は、端末装置の取り扱いに不慣れな利用者を、情報配信先とする場合に有用であり、特に、病院や娯楽施設における情報配信に適している。
【図面の簡単な説明】
【００９４】
【図１】本実施例に係る端末装置の特徴を示す図である。
【図２】本実施例に係る情報配信システムの構成図である。
【図３】端末装置およびサーバ装置が実行する処理手順を示すフローチャートである。
【図４】電源投入時における端末装置の動作を示す図である。
【図５】電源切断時における端末装置の動作を示す図である。
【図６】端末装置の実装例を示す図である。
【図７】利用者ＩＤを用いたサービス例を示す図である。
【図８】利用者ＩＤを用いたＵＩプログラムＤＢの構成例を示す図である。
【図９】サービスＩＤを用いたサービス例を示す図である。
【図１０】サービスＩＤを用いたＵＩプログラムＤＢの構成例を示す図である。
【図１１】利用者ＩＤおよびサービスＩＤを用いたＵＩプログラムＤＢの構成例を示す図である。
【符号の説明】
【００９５】
１      情報配信システム
１０    記憶媒体
２０    端末装置
２１    電源
２２    電源制御部
２２ａ  電源開閉部Ａ
２２ｂ  電源開閉部Ｂ
２２ｃ  電源開閉部Ｃ
２３    スイッチ
２４    制御部
２４ａ  マイコン
２４ｂ  記憶媒体読込部
２４ｃ  表示制御部
２４ｄ  表示部
２４ｅ  通信部
２５    記憶部
２５ａ  サービスデータ
２５ｂ  ＵＩプログラム
２５ｃ  オペレーションプログラム
２５ｄ  デバイスドライバ
３０    サーバ装置
３１    検索部
３２    通信部
３３    ＵＩプログラムＤＢ
３３ａ  テーブルＡ
３３ｂ  テーブルＢ
３３ｃ  テーブルＣ
３３ｄ  テーブルＤ
３３ｅ  テーブルＥ
３４    サービスデータＤＢ
【図１】
2008250942.tif 000003
【図２】
2008250942.tif 000004
【図３】
2008250942.tif 000005
【図４】
2008250942.tif 000006
【図５】
2008250942.tif 000007
【図６】
2008250942.tif 000008
【図７】
2008250942.tif 000009
【図８】
2008250942.tif 000010
【図９】
2008250942.tif 000011
【図１０】
2008250942.tif 000012
【図１１】
2008250942.tif 000013